(57)【特許請求の範囲】
【請求項１】
温水洗浄便座の本体ケース内に電気回路が内蔵され、この電気回路に接続される電源コードを本体ケース外部に引き出して外部電源ボックスに接続してなる局部洗浄装置において、電源コードの本体ケースへの固定箇所近傍に電源コード蓋が着脱可能に取り付けられると共に、電源コード蓋の内側には電源コードと電気回路とを着脱可能に接続するためのコネクタ部が収納されており、電源コード蓋を本体ケースから取り外した状態ではコネクタ部を本体ケース外部まで引き出し可能としてなることを特徴とする局部洗浄装置。
【請求項２】
電源コード蓋は本体ケースの外側から被せられて取り付けられて成ることを特徴とする請求項１記載の局部洗浄装置。
【発明の詳細な説明】
【０００１】
【発明の属する技術分野】
本発明は、局部洗浄装置に関し、詳しくは例えば電源コードがバスルームやトイレルーム等の壁面に嵌め込み固定されている局部洗浄装置に関するものである。
【０００２】
【従来の技術】
一般家庭のトイレなどで使用されるものでは、電源コードの電源側はコンセントのプラグ形式であるが、一方、ホテル等のユニットバスルームに設置されるものでは、湿気の多い環境で使用されるために漏電、感電等の危険性があり、これをなくすために電気回路の電源コードをユニットバスルーム外部に引き出すための外部電源ボックスをバスルーム壁面に設置してある。その一例として、図１１、図１２に示すように、便蓋３０を備えた便座３１の本体ケース２内に電気回路が内蔵され、この電気回路に接続される電源コード５の一端に設けたコードブッシュ部を本体ケース３の背後に固定し、電源コード５の他端を図１３、図１４に示す壁面２３に固定した外部電源ボックス６を介して電源ケーブル２４の電源線２５及びアース線２６に接続している。このように外部から電源やアースをとることによって電気的なトラブルが発生しないように考慮している。
【０００３】
また、従来では、外部電源ボックス６をユニットバス等の壁面２３に嵌め込み固定するにあたっては、先ず、壁面２３に穴をあけ、その穴にボックス本体６ａをネジ止めし、ボックスカバー６ｂを被せる。このとき、ボックス本体６ａと壁面２３との間、及びボックス本体６ａとボックスカバー６ｂとの間にはシリコンなどのコーキング材２５を塗布して、防水、防湿対策を施している。
【０００４】
【発明が解決しようとする課題】
ところで、温水洗浄便座２が故障し、本体ケース３ごと交換する事態が発生した場合には、従来では電源コード５に接続された外部電源ボックス６をユニットバスルーム等の壁面２３から取り外すようにしているが、このとき、外部電源ボックス６はシリコン等で壁面２３に一体固着化されているため、外部電源ボックス６の取り外しに手間と時間がかかり、速やかに本体ケース３を取り外すことができないという問題があった。また、一度外部電源ボックス６を取り外してしまうと、再度取り付ける時にも手間と時間がかかるという問題もあった。
【０００５】
本発明は上記の点に鑑みてなされたものであり、その目的とするところは、温水洗浄便座の交換の際に外部電源ボックスを壁面から取り外すことなく、本体ケースのみを容易に取り外せるようにした局部洗浄装置を提供するにある。
【０００６】
【課題を解決するための手段】
上記課題を解決するために本発明は、温水洗浄便座２の本体ケース３内に電気回路が内蔵され、この電気回路に接続される電源コード５を本体ケース３外部に引き出して外部電源ボックス６に接続してなる局部洗浄装置において、電源コード５の本体ケース３への固定箇所近傍に電源コード蓋４が着脱可能に取り付けられると共に、電源コード蓋４の内側には電源コード５と電気回路とを着脱可能に接続するためのコネクタ部７が収納されており、電源コード蓋４を本体ケース３から取り外した状態ではコネクタ部７を本体ケース３外部まで引き出し可能としたことを特徴としており、このように構成することで、温水洗浄便座２が故障し、本体ケース３ごと交換する事態が発生した場合には、電源コード蓋４を本体ケース３から取り外し、コネクタ部７を本体ケース３外部に引き出すことによって、本体ケース３外部で電源コード５と電気回路とをコネクタ部７で切り離すことができ、本体ケース３を速やかに且つ容易に取り外すことができるようになる。
【０００７】
また上記電源コード蓋４は本体ケース３の外側から被せられて取り付けられて成るのが好ましく、このように構成することで、本体ケース３の外部から電源コード蓋４の取り付けを簡単に行うことができる。
【０００８】
【発明の実施の形態】
以下、本発明の実施の形態を説明すると、局部洗浄装置１は、図１に示すように、温水洗浄便座２の本体ケース３内に温水洗浄要素等を駆動制御するための電気回路が内蔵され、この電気回路に接続される電源コード５を本体ケース３外部に引き出して外部電源ボックス６（図１４参照）に接続するようにしている。ここまでは従来例と同様である。本実施形態では、図２に示すように、温水洗浄便座２の本体ケース３は、本体上ケース８と本体下ケース９とで構成されており、本体上ケース８の背面下部に下方に開口した略Ｕ字状の配線用開口部１０が切り欠き形成され、本体下ケース９の上記配線用開口部１０に対応する位置には、電源コード５のコードブッシュ部１１が着脱可能に取り付けられる取り付け凹所１２が設けられている。取り付け凹所１２は、図３に示すように、上下方向と後方とにそれぞれ開放された平面視略コ字状に形成されており、左右両側にコードブッシュ部１１に設けた凹部１４に挿嵌される凸部１３が突設されている。コードブッシュ部１１を取り付け凹所１２の後方から差し込んだときに凹部１４に凸部１３がスライド嵌合することで、コードブッシュ部１１が取り付け凹所１２に対して保持されるようになり、またこのとき電源コード５は取り付け凹所１２の下方から本体下ケース９の下方に引き出されるようになっている。
【０００９】
本体上ケース８の配線用開口部１０には、図１に示すように、電源コード蓋４が着脱可能に取り付けられている。本例では電源コード蓋４は下方に開口した逆略Ｕ字状の配線穴４ａを有しており、この電源コード蓋４を本体ケース３の配線用開口部１０の外側から被せて、ネジ３０を用いて本体上ケース８に固定されるようになっている。この電源コード蓋４によってコードブッシュ部１１を背後から覆うことができると共に、コードブッシュ部１１が取り付け凹所１２から離脱するのを電源コード蓋４にて防止できるようになっている。なお電源コード蓋４の取り付け方法はネジ止めに限定されるものではない。
【００１０】
電源コード蓋４の内側には、本体ケース３内部の電気回路と電源コード５とを着脱可能に接続するためのコネクタ部７が収納されている。本例では、コネクタ部７は本体下ケース９に設けた取り付け凹所１２よりも上方位置に収納されている。コネクタ部７は、図４、図５に示すように、電気回路に配線される内部電源線１５と電源コード５の外部電源線１６とを着脱可能に接続する電源線コネクタ２０と、電気回路に配線される内部アース線１７と電源コード５の外部アース線１８とを着脱可能に接続するアース線コネクタ１９とからなる。ここで内部電源線１５及び内部アース線１７は、電源コード蓋４を本体ケース３から取り外し且つコードブッシュ部１１を取り付け凹所１２から取り外した状態で、電源線コネクタ２０とアース線コネクタ１９とを本体ケース３外部まで引き出すことができるような長さを有している。
【００１１】
しかして、温水洗浄便座２が故障し、本体ケース３ごと交換する事態が発生した場合には、電源コード蓋４のネジ３０を取り外して本体ケース３から電源コード蓋４を取り外す。その後、電源コード５のコードブッシュ部１１を図３の矢印Ａ方向に引き出して取り付け凹所１２から取り外し、さらに図４に示すように、コネクタ部７を本体ケース３外部に引き出し、その後図５に示すように、電源線コネクタ２０とアース線コネクタ１９とをそれぞれ外して、電源コード５と電気回路とを各コネクタ１９，２０でそれぞれ切り離す。これにより、本体ケース３を速やかに且つ容易に取り外すことができるので、従来のように外部電源ボックス６を壁面から取り外したりする必要がなく、外部電源ボックス６の取り外し、取り付けにかかる手間と時間を省略でき、温水洗浄便座２の交換を容易に行うことができる。さらに、電源コード蓋４を本体ケース３の配線用開口部１０の外側から被せて取り付けるようにしたので、本体ケース３への電源コード蓋４の取り付けを簡単に行うことができるという利点もある。
【００１２】
図６〜図１０は他の実施形態を示している。本例も上記図１〜図５の例と基本的には同じであり、異なる点だけを述べる。図１〜図５のように電源コード蓋４を本体上ケース８の外側から被せて取り付けた場合にあっては、例えば図９に示すように、電源コード蓋４の外面４ａと本体上ケース８の外面８ａとの間に段差が生じる可能性がある。そこで、本例では図７、図８に示すように、本体上ケース８の配線用開口部１０の内面両側から内方に向かってフランジ状の押さえ部２１をそれぞれ突設させ、一方、電源コード蓋４の内面両側には上記押さえ部２１に嵌合する段付き部２２を設けてある。電源コード蓋４を配線用開口部１０に嵌め込んだときに押さえ部２１に段付き部２２が当たり、図６に示すように、ネジ３０で電源コード蓋４を固定したときに、電源コード蓋４が本体上ケース８の両側の押さえ部２１を押さえることによって、図９に示すような段差が発生するのを防止できる。これにより、図１０に示すように、電源コード蓋４の外面４ａと本体上ケース８の外面８ａとが面一状となり外観が向上する。
【００１３】
【発明の効果】
上記のように本発明のうち請求項１記載の発明は、温水洗浄便座の本体ケース内に電気回路が内蔵され、この電気回路に接続される電源コードを本体ケース外部に引き出して外部電源ボックスに接続してなる局部洗浄装置において、電源コードの本体ケースへの固定箇所近傍に電源コード蓋が着脱可能に取り付けられると共に、電源コード蓋の内側には電源コードと電気回路とを着脱可能に接続するためのコネクタ部が収納されており、電源コード蓋を本体ケースから取り外した状態ではコネクタ部を本体ケース外部まで引き出し可能としてなるので、温水洗浄便座が故障し、本体ケースごと交換する事態が発生した場合には、電源コード蓋を本体ケースから取り外し、コネクタ部を本体ケース外部に引き出すことによって、本体ケース外部で電源コードと電気回路とをコネクタ部で切り離すことができる。従って、本体ケースを速やかに且つ容易に取り外すことができるので、従来のように外部電源ボックスを壁面から取り外したりする必要がなく、外部電源ボックスの取り外し、取り付けにかかる手間と時間を省略でき、温水洗浄便座の交換を容易に行うことができる。
【００１４】
また請求項２記載の発明は、請求項１記載の効果に加えて、電源コード蓋は本体ケースの外側から被せられて取り付けられて成るので、本体ケースの外部から電源コード蓋の取り付けを簡単に行うことができる。
【図面の簡単な説明】
【図１】本発明の実施形態の一例を示す斜視図である。
【図２】同上の電源コード蓋を取り外した状態の斜視図である。
【図３】同上の取り付け凹所からコードブッシュ部を取り外す場合の斜視図である。
【図４】同上のコネクタ部を引き出した状態の斜視図である。
【図５】同上のコネクタ部を切り離した状態の斜視図である。
【図６】他の実施形態の斜視図である。
【図７】同上の電源コード蓋を取り外した状態の斜視図である。
【図８】同上の電源コード蓋の斜視図である。
【図９】本体上ケースの外面と電源コード蓋の外面との段差を説明する断面図である。
【図１０】図６のＺ−Ｚ線断面図である。
【図１１】従来の斜視図である。
【図１２】同上の温水洗浄便座を背後から見た斜視図である。
【図１３】外部電源ボックスの分解図である。
【図１４】（ａ）は外部電源ボックスの斜視図、（ｂ）は断面図である。
【符号の説明】
１  局部洗浄装置
２  温水洗浄便座
３  本体ケース
４  電源コード蓋
５  電源コード
６  外部電源ボックス
７  コネクタ部
【図１】
0003733779.tif 000002
【図２】
0003733779.tif 000003
【図３】
0003733779.tif 000004
【図４】
0003733779.tif 000005
【図５】
0003733779.tif 000006
【図６】
0003733779.tif 000007
【図７】
0003733779.tif 000008
【図８】
0003733779.tif 000009
【図９】
0003733779.tif 000010
【図１０】
0003733779.tif 000011
【図１１】
0003733779.tif 000012
【図１２】
0003733779.tif 000013
【図１３】
0003733779.tif 000014
【図１４】
0003733779.tif 000015